(57)【特許請求の範囲】
【請求項１】
特定の加入者識別情報又は端末識別情報を記憶した第１の端末装置との間で無線通信によりデータを送受信し、前記特定の加入者識別情報又は端末識別情報を記憶していない第２の端末装置との間で無線通信によりデータを送受信しないように制御可能な無線基地局装置において、
全ての前記特定の加入者識別情報又は端末識別情報を前記第１の端末装置から他の無線基地局装置を介して無線基地局制御装置において受信して前記無線基地局制御装置から接続モードの切替指示を受信したとき又は全ての前記特定の加入者識別情報又は端末識別情報を前記第１の端末装置から一定期間受信しないとき、前記第２の端末装置に対してデータを送受信しない第１の接続モードから、前記第２の端末装置との間で無線通信によりデータを送受信する第２の接続モードに接続モードを切替えるモード切替制御部と
を備えることを特徴とする無線基地局装置。
【請求項２】
前記第１の端末装置から送信された前記特定の加入者識別情報又は端末識別情報が他の無線基地局装置を介して前記無線基地局制御装置に送信され、前記無線基地局制御装置において全ての前記特定の加入者識別情報又は端末識別情報を前記他の無線基地局装置から受信したとき、前記無線基地局制御装置において前記接続モードを前記第１の接続モードから前記第２の接続モードに切替えるよう指示する切替指示が送信され、
前記モード切替制御部は、前記切替指示を受信したとき、前記接続モードを前記第１の接続モードから前記第２の接続モードに切替えることを特徴とする請求項１記載の無線基地局装置。
【請求項３】
更に、全ての前記特定の加入者識別情報又は端末識別情報を前記第１の端末装置から一定期間受信しないとき、前記接続モードを前記第１の接続モードから前記第２の接続モードに切替えるよう指示する切替指示を出力するモード切替変更検出部を備え、
前記モード切替制御部は、前記切替指示を入力したとき、前記接続モードを前記１の接続モードから前記第２の接続モードに切替えることを特徴とする請求項１又は２記載の無線基地局装置。
【請求項４】
前記モード切替制御部は、前記接続モードが前記第２の接続モードである場合に、前記無線基地局配下に前記第１の端末装置が存在することを検知したとき、前記接続モードを前記第２の接続モードから前記第１の接続モードに切替えることを特徴とする請求項１記載の無線基地局装置。
【請求項５】
特定の加入者識別情報又は端末識別情報を記憶した第１の端末装置との間で無線通信によりデータを送受信し、前記特定の加入者識別情報又は端末識別情報を記憶していない第２の端末装置との間で無線通信によりデータを送受信しないように制御可能な無線基地局装置における接続モード切替方法であって、
全ての前記特定の加入者識別情報又は端末識別情報を前記第１の端末装置から他の無線基地局装置を介して無線基地局制御装置において受信して前記無線基地局制御装置から接続モードの切替指示を受信したとき又は全ての前記特定の加入者識別情報又は端末識別情報を前記第１の端末装置から一定期間受信しないとき、前記第１の端末装置との間で無線通信によりデータを送受信し前記第２の端末装置との間でデータを送受信しない第１の接続モードから、前記第２の端末装置との間で無線通信によりデータを送受信する第２の接続モードに接続モードを切替える
ことを特徴とする接続モード切替方法。
【請求項６】
無線基地局装置と、
第１及び第２の端末装置とを備え、特定の加入者識別情報又は端末識別情報を記憶した前記第１の端末装置と前記無線基地局装置との間で無線通信によりデータが送受信され、前記特定の加入者識別情報又は端末識別情報を記憶していない前記第２の端末装置と前記無線基地局装置との間で無線通信によりデータが送受信されないように制御可能な無線通信システムにおいて、
前記無線基地局装置は、
全ての前記特定の加入者識別情報又は端末識別情報を前記第１の端末装置から他の無線基地局装置を介して無線基地局制御装置において受信して前記無線基地局制御装置から接続モードの切替指示を受信したとき又は全ての前記特定の加入者識別情報又は端末識別情報を前記第１の端末装置から一定期間受信しないとき、前記第１の端末装置との間で無線通信によりデータを送受信し前記第２の端末装置との間でデータを送受信しない第１の接続モードから、前記第２の端末装置との間で無線通信によりデータを送受信する第２の接続モードに接続モードを切替えるモード切替制御部と、
前記第２の接続モードのとき、前記第２の端末装置との間で前記データを送受信する第１の無線処理部とを備え、
前記第２の端末装置は、
前記第２の接続モードのとき、前記無線基地局装置との間で無線通信によりデータを送受信する第２の無線処理部を備えることを特徴とする無線通信システム。
【発明の詳細な説明】
【技術分野】
【０００１】
本発明は、無線基地局装置、無線基地局装置における接続モード切替方法、及び無線通信システムに関する。
【背景技術】
【０００２】
現在、携帯電話システムや無線ＬＡＮ（Local Area Network）などの無線通信システムが広く利用されている。また、無線通信の分野では、通信速度や通信容量を更に向上させるべく、次世代の通信技術について継続的な議論が行われている。次世代の通信技術として、例えば、ＬＴＥ（Long Term Evolution）やＬＴＥ‐Ａｄｖａｎｃｅｄなどの標準化が完了若しくは検討されている。
【０００３】
このような無線通信技術に関し、例えば、フェムト基地局と呼ばれる無線基地局を利用した技術がある。フェムト基地局は、例えば、家内や集合住宅内などに設置され、接続が許可された加入者情報を記憶する端末装置に対してサービスを提供することができる無線基地局である。また、フェムト基地局は、例えば、マクロ基地局のサービスエリア内において、無線電波が届かない不感地用として設置されることも検討されている。
【０００４】
ＬＴＥなどの標準化を行う３ＧＰＰ（３rd Generation Partnership Project）では、フェムト基地局のことを例えばＨｅＮＢ（Home evolved Node B）と称する場合がある。ＨｅＮＢへの接続が許可された加入者情報を記憶する端末装置はＨｅＮＢから様々なサービスの提供を受けることができるが、ＨｅＮＢに対する接続方式について、３ＧＰＰでは３つのモードを規定している。すなわち、クローズモードとオープンモード、及びハイブリッドモードである。
【０００５】
クローズモードは、例えば、ＨｅＮＢへの接続が許可された加入者情報を記憶する端末装置（又は登録加入者）がＨｅＮＢからサービスの提供を受けることができる接続モードである。クローズモードの場合、例えば、接続が許可された加入者情報を記憶していない端末装置はＨｅＮＢからサービスの提供を受けることができない。
【０００６】
また、オープンモードは、例えば、どの端末装置でもＨｅＮＢからサービスの提供を受けることができる接続モードである。オープンモードの場合、接続が許可された加入者情報を記憶する端末装置だけでなく、このような加入者情報を記憶していない端末装置もＨｅＮＢからサービスの提供を受けることができる。
【０００７】
さらに、ハイブリッドモードは、例えば、クローズモードとオープンモードの双方がミックスされた接続方式である。
【０００８】
ＨｅＮＢに関する技術としては、例えば、以下のようなものがある。すなわち、無線基地局と優先して無線通信をすることができる優先ユーザの無線リソースを確保し、非優先ユーザに残りの無線リソースを確保することで、優先ユーザを優先的に接続できるようにした無線基地局がある。
【０００９】
なお、無線基地局装置と無線基地局制御装置の接続に関して、例えば、以下のようなものがある。すなわち、無線基地局制御装置が無線基地局装置に付与したＩＰアドレスに対してｐｉｎｇコマンドを送信しても応答が無いとき、当該ＩＰアドレスを未使用状態に設定するようにしたものがある。
【先行技術文献】
【非特許文献】
【００１０】
【非特許文献１】3GPP TS 22.220 V11.3.0 (2011-09)
【特許文献】
【００１１】
【特許文献１】特開２０１０−６２７８０号公報
【特許文献２】特開２０１０−１２４２６５号公報
【発明の概要】
【発明が解決しようとする課題】
【００１２】
例えば、ＨｅＮＢが家内や集合住宅内に設置され、クローズモードとして運用されている場合において、ＨｅＮＢの周辺のマクロ基地局において輻輳が発生しているような場合を考える。
【００１３】
このような場合、ＨｅＮＢへの接続が許可された加入者情報を記憶していない端末装置がＨｅＮＢとマクロ基地局の各サービスエリアの境界付近に位置するとき、端末装置はＨｅＮＢに対する接続が許可されていないため、ＨｅＮＢを活用できない。また、端末装置は、輻輳によってマクロ基地局からもサービスの提供を受けることができない。
【００１４】
結局、ＨｅＮＢのサービスエリアと周辺マクロ基地局のサービスエリアとの境界付近に位置する端末装置は、ＨｅＮＢと周辺のマクロ基地局の双方からサービスの提供を受けることができない場合がある。
【００１５】
また、特開２０１０−６２７８０号公報に記載された技術は、例えば、時間帯によって優先度を変更することで、夜の時間帯は非優先ユーザに無線リソースを割当てるようにしている。しかし、無線基地局が使用できる無線リソースの一部は優先ユーザのために確保されており、例えば、非優先ユーザの数が非優先ユーザ用の無線リソースの割当て可能な範囲を超える場合、非優先ユーザ用の無線リソースが利用できない場合もある。よって、特開２０１０−６２７８０号公報に記載された技術の場合、非優先ユーザの使用する端末装置は、無線基地局と無線通信を行うことができずサービスの提供を受けることができない場合もある。また、無線基地局周辺の無線基地局において輻輳が発生している場合、端末装置は当該無線基地局からサービスの提供を受けることができない場合もある。
【００１６】
そこで、本発明の一目的は、周辺基地局で輻輳が発生するような状況でもサービスを提供することができる無線基地局装置、無線基地局装置における接続モード切替方法、及び無線通信システムを提供することにある。
【課題を解決するための手段】
【００１７】
一態様によれば、特定の加入者識別情報又は端末識別情報を記憶した第１の端末装置との間で無線通信によりデータを送受信し、前記特定の加入者識別情報又は端末識別情報を記憶していない第２の端末装置との間で無線通信によりデータを送受信しないように制御可能な無線基地局装置において、前記無線基地局装置配下に前記第１の端末装置が存在しないとき、前記第２の端末装置に対してデータを送受信しない第１の接続モードから、前記第２の端末装置との間で無線通信によりデータを送受信する第２の接続モードに接続モードを切替えるモード切替制御部を備える。
【発明の効果】
【００１８】
周辺基地局で輻輳が発生するときでもサービスを提供することができる無線基地局装置、無線基地局装置における接続モード切替方法、及び無線通信システムを提供することができる。
【図面の簡単な説明】
【００１９】
【図１】図１は無線基地局装置の構成例を表わす図である。
【図２】図２は無線通信システムの構成例を表わす図である。
【図３】図３はＨｅＮＢの構成例を表わす図である。
【図４】図４はＵＥの構成例を表わす図である。
【図５】図５はＭＭＥの構成例を表わす図である。
【図６】図６はＨＳＳの構成例を表わす図である。
【図７】図７はリンク設定処理とモード変更処理のシーケンス例を表わす図である。
【図８】図８は位置登録処理を含む全体処理のシーケンス例を表わす図である。
【図９】図９はモード変更指示を含むメッセージの例を表わす図である。
【図１０】図１０（Ａ）と図１０（Ｂ）は周波数リソースの例をそれぞれ表わす図である。
【図１１】図１１は位置登録処理を含む全体処理のシーケンス例を表わす図である。
【図１２】図１２（Ａ）はＨｅＮＢ、図１２（Ｂ）はＭＭＥの構成例をそれぞれ表わす図である。
【図１３】図１３はリンク設定処理とモード変更処理のシーケンス例を表わす図である。
【図１４】図１４は位置登録処理を含む全体処理のシーケンス例を表わす図である。
【図１５】図１５は位置登録処理を含む全体処理のシーケンス例を表わす図である。
【図１６】図１６は接続モードの状態遷移の例を表わす図である。
【図１７】図１７はＨｅＮＢの構成例を表わす図である。
【図１８】図１８はＵＥの構成例を表わす図である。
【図１９】図１９（Ａ）ＭＭＥ、図１９（Ｂ）はＨＳＳの構成例をそれぞれ表わす図である。
【発明を実施するための形態】
【００２０】
以下、本発明を実施するための形態について説明する。
【００２１】
［第１の実施の形態］
最初に第１の実施の形態について説明する。図１は第１の実施の形態における無線通信システム１０の構成例を表わす図である。
【００２２】
無線通信システム１０は、無線基地局装置１００と第１及び第２の端末装置２００−１，２００−２を備える。第１の端末装置２００−１は特定の加入者識別情報又は端末識別情報（以下、本第１の実施の形態では「特定の加入者識別情報等」と称する）を記憶し、第２の端末装置２００−２は特定の加入者識別情報等を記憶していない。例えば、第２の端末装置２００−２は、特定の加入者識別情報等以外の加入者識別情報又は端末識別情報を記憶する。
【００２３】
ここで、特定の加入者識別情報等とは、例えば、無線基地局装置１００に対して接続が許可された加入者識別情報又は端末識別情報である。特定の加入者識別情報等を記憶する第１の端末装置２００−１は、無線基地局装置１００と接続してデータを送受信することができ、これにより無線基地局装置１００から様々なサービスの提供を受けることができる。一方、特定の加入者情報等を記憶していない第２の端末装置２００−２は、無線基地局装置１００と接続できずに、データを送受信することができない。第２の端末装置２００−２は無線基地局装置１００からサービスの提供を受けることができない。
【００２４】
このように、特定の加入者識別情報等を記憶した第１の端末装置２００−１との間でデータが送受信され、特定の加入者識別情報等を記憶していない第２の端末装置２００−２との間でデータが送受信されない接続モードを例えば第１の接続モードとする。無線基地局装置１００は、例えば、第１の接続モードで動作することができる。
【００２５】
ここで、特定の加入者識別情報等による無線基地局装置１００に対する接続処理の詳細について説明する。例えば、以下の処理が行われる。
【００２６】
すなわち、第１の端末装置２００−１は、無線基地局装置１００に対して無線接続する際に、特定の加入者識別情報等を無線基地局装置１００に送信する。無線基地局装置１００は、第１の端末装置２００−１から受け取った特定の加入者識別情報等を、無線基地局装置１００に接続されたＭＭＥ（Mobility Management Entity、図示せず）に送信する。ＭＭＥは、特定の加入者識別情報等をＨＳＳ（Home Subscriber Server、図示せず）に送信する。ＨＳＳは、自身が収容する無線基地局装置ごとに、当該無線基地局装置においてサービスの提供を許可された特定の加入者識別情報等を記憶している。ＨＳＳはＭＭＥから特定の加入者識別情報等を受け取ると、対応する無線基地局装置１００の識別情報（例えばＣＳＧ  ＩＤ（Closed Subscriber Group ID））をＭＭＥに送信する。ＭＭＥは、自身が収容する無線基地局装置１００の識別情報と、ＨＳＳから受け取った無線基地局装置１００の識別情報とが一致するか否かを判別する。例えば、一致する場合、特定の加入者識別情報等は無線基地局装置１００においてサービスの提供が許可された識別情報であり、一致しない場合、特定の加入者識別情報等が無線基地局装置１００においてサービスの提供が許可されていない識別情報となる。ＭＭＥは許可するか否かの情報を無線基地局装置１００に送信し、無線基地局装置１００は当該情報に従って第１の端末装置２００−１にデータを送受信し、第２の端末装置２００−２にデータを送受信しないようにすることができる。
【００２７】
図１の例において、第２の端末装置２００−２が特定の加入者識別情報等以外の加入者識別情報又は端末識別情報を無線基地局装置１００に送信すると、例えば、以下のようになる。すなわち、ＭＭＥでは無線基地局装置１００の識別情報と、当該加入者情報又は識別情報に対応する無線基地局装置の識別情報とが一致せず、当該加入者情報又は識別情報は無線基地局装置１００においてサービスの提供が許可されていない識別情報として判別する。これにより、無線基地局装置１００は特定の加入者識別情報等を記憶していない第２の端末装置２００−２との間でデータの送受信を行わないようにすることができる。以下、無線基地局装置１００の各部の説明をする。
【００２８】
無線基地局装置１００は、モード切替制御部１４０を備える。モード切替制御部１４０は、無線基地局装置１００の配下に第１の端末装置２００−１が存在しないとき、接続モードを第１の接続モードから第２の接続モードに切替えることができる。第２の接続モードは、例えば、第２の端末装置２００−２との間で無線通信によりデータを送受信する接続モードである。
【００２９】
このように、無線基地局装置１００は、モード切替制御部１４０の切替え制御により、無線基地局装置１００は第２の端末装置２００−２に対してデータを送受信することで、第２の端末装置２００−２に対してサービスを提供することができる。
【００３０】
従って、例えば、無線基地局装置１００の周辺基地局装置において輻輳が発生しているとき、第２の端末装置２００−２は、周辺基地局装置ではなく無線基地局装置１００と無線接続して、無線基地局装置１００からサービスの提供を受けることができるようになる。
【００３１】
［第２の実施の形態］
次に第２の実施の形態について説明する。図２は第２の実施の形態における無線通信システム１０の構成例を表わす図である。最初に無線通信システム１０全体の構成例などを説明し、次に、無線通信システム１０における各装置の構成例の説明をすることにする。
【００３２】
＜無線通信システム１０の構成例など＞
図２に示すように、無線通信システム１０は、ＨｅＮＢ（Home evolved Node B）１００、ｅＮＢ１５０、ＵＥ（User Equipment）２００、ルータ３００，３５０、ＭＭＥ（Mobility Management Entity）４００、ＨＳＳ（Home Subscriber Server）５００、Ｓ−ＧＷ（Serving Gateway）６００、Ｐ−ＧＷ（Packet Gateway）７００、及びＰＤＮ（Packet Data Network）８００を備える。
【００３３】
なお、図２に示すように、ＨｅＮＢ１００によりサービスの提供できる範囲を、例えばフェムトサービスエリア１００−１、ｅＮＢ１５０によりサービスの提供できる範囲を、例えばマクロサービスエリア１５０−１と称する場合がある。例えば、フェムトサービスエリア１００−１はＨｅＮＢ１００の電波到達範囲（又はセル範囲）であり、マクロサービスエリア１５０−１はｅＮＢ１５０の電波到達範囲でもある。また、フェムトサービスエリア１００−１は、マクロサービスエリア１５０−１よりも狭い範囲となっており、フェムトサービスエリア１００−１はマクロサービスエリア１５０−１の範囲内に位置している。また、図２では、ＵＥ２００はフェムトサービスエリア１００−１にてＨｅＮＢ１００と無線通信を行っている例を示している。
【００３４】
ＨｅＮＢ１００は、無線基地局装置であって、ＵＥ２００と無線通信をすることで、ＵＥ２００に対して通話サービスや映像配信サービスなど様々なサービスを提供することができる。ＨｅＮＢ１００は、例えば、クローズモードとオープンモードを適宜切り替えて、ＵＥ２００と接続することができる。ＨｅＮＢ１００は、更に、ハイブリッドモードを加えて、３つのモードを適宜切り替えて、ＵＥ２００と接続することもできる。ＨｅＮＢ１００は、例えば、ユーザ専用無線基地局装置と称される場合もある。ハイブリッドモードを加えた例は第４の実施の形態において説明することにする。
【００３５】
ここで、クローズモードは、例えば、接続が許可された加入者情報を記憶するＵＥ２００（又は登録加入者）がＨｅＮＢ１００からサービスの提供を受けることができる接続モードである。クローズモードのとき、接続が許可されていない加入者情報を記憶するＵＥ２００は、例えば、ＨｅＮＢ１００からサービスの提供を受けることができない。例えば、ＨｅＮＢ１００に接続が許可された登録加入者がサービスの提供を受けることができ、それ以外のユーザはＨｅＮＢ１００からサービスの提供を受けることができない。
【００３６】
なお、加入者情報は、例えば、ＩＭＳＩ（International Mobile Subscriber Identity：国際移動体加入者識別番号）などの加入者識別情報又は加入者識別子とすることができる。
【００３７】
また、オープンモードは、例えば、接続が許可された加入者情報を記憶していないＵＥ（又は不特定ユーザ）でもＨｅＮＢ１００からサービスの提供を受けることができる接続モードである。オープンモードでは、例えば、このような不特定ユーザでもＨｅＮＢ１００からサービスの提供を受けることができる。
【００３８】
ＨｅＮＢ１００は、ルータ３００から出力されたユーザデータや制御信号を無線信号に変換し、変換された無線信号をフェムトサービスエリア１００−１に位置（又は在圏）するＵＥ２００に送信することができる。また、ＨｅＮＢ１００は、フェムトサービスエリア１００−１に位置するＵＥ２００から送信された無線信号を受信して、ユーザデータや制御信号に変換し（又は抽出し）、変換したユーザデータや制御信号をルータ３００に出力することができる。この場合、ＨｅＮＢ１００は、ユーザデータや制御信号などを含むメッセージをルータ３００との間で交換することができる。ＨｅＮＢ１００の構成例は後述する。
【００３９】
ｅＮＢ１５０も無線基地局装置であって、マクロサービスエリア１５０−１に位置するＵＥ２００と無線通信をすることができる。ｅＮＢ１５０は、不特定ユーザに対して、種々のサービスを提供することができる。また、ＨｅＮＢ１００に対して接続が許可されていない加入者情報を記憶するＵＥ２００がフェムトサービスエリア１００−１に位置するときも、当該ＵＥ２００に対してサービスを提供することができる。ｅＮＢ１５０は、例えば、マクロ無線基地局装置と称される場合がある。
【００４０】
なお、ｅＮＢ１５０も、ルータ３５０から出力されたユーザデータや制御信号を無線信号に変換し、自局のマクロサービスエリア１５０−１に位置するＵＥ２００に無線信号を送信することができる。また、ｅＮＢ１５０は、ＵＥ２００から送信された無線信号を受信し、ユーザデータや制御信号に変換し（又は抽出し）、変換したユーザデータや制御信号をルータ３５０に出力することができる。ｅＮＢ１５０も、ユーザデータや制御信号を含むメッセージをルータ３５０との間で交換することができる。ｅＮＢ１５０は、このような変換処理が行われるように、例えば、誤り訂正符号化処理部、変調処理部、周波数変換処理部、復調処理部、誤り訂正復号化処理部などを備えるようにしてもよい。
【００４１】
ＵＥ２００は、例えば、フィーチャーフォン、スマートフォンなどの端末装置であって、ＨｅＮＢ１００やｅＮＢ１５０と無線通信をすることができる。例えば、ＵＥ２００は加入者情報をＨｅＮＢ１００に送信し、加入者情報がＨｅＮＢ１００への接続が許可された加入者情報のとき、クローズモードのＨｅＮＢ１００と無線接続して、種々のサービスの提供を受けることができる。加入者情報がＨｅＮＢ１００への接続が許可されていない加入者情報のとき、ＵＥ２００はＨｅＮＢ１００からサービスの提供を受けることはできない。ただし、ＨｅＮＢ１００がオープンモードのときは、ＵＥ２００は、接続が許可された加入者情報を記憶していないときでも、ＨｅＮＢ１００からサービスの提供を受けることができる。
【００４２】
ルータ３００，３５０は、例えば、ＨｅＮＢ１００やｅＮＢ１５０からそれぞれ出力されたメッセージのうち、ユーザデータを含むメッセージをＳ−ＧＷ６００に出力し、制御信号などを含むメッセージをＭＭＥ４００に出力することができる。また、ルータ３００，３５０は、ＭＭＥ４００から出力されたメッセージを入力して、ＨｅＮＢ１００やｅＮＢ１５０にそれぞれ出力したり、Ｓ−ＧＷ６００から出力されたメッセージをＨｅＮＢ１００やｅＮＢ１５０にそれぞれ出力することもできる。
【００４３】
ＭＭＥ４００は、例えば、一又は複数の無線基地局装置（ＨｅＮＢ１００やｅＮＢ１５０）を収容し、収容した無線基地局装置を制御することができる。ＭＭＥ４００は、例えば、ＵＥ２００の基地局間ハンドオーバやＵＥ２００の位置登録の管理などを行うことができる。ＭＭＥ４００は、例えば、無線基地局制御装置と称される場合がある。なお、ＭＭＥ４００は、フェムトサービスエリア１００−１において、ＨｅＮＢ１００への接続が許可された加入者情報を記憶するＵＥ１００の不在を検出することができる。ＭＭＥ４００の詳細については後述する。
【００４４】
ＨＳＳ５００は、例えば、加入者情報を管理するサーバ装置であり、ＭＭＥ４００との間で加入者の認証処理などを行う。また、ＨＳＳ５００は、ＨｅＮＢ１００への接続が許可された加入者情報を保持する。ＨＳＳ５００の詳細は後述する。
【００４５】
Ｓ−ＧＷ６００は、例えば、ルータ３００，３５０から送信されたユーザデータ（又はメッセージ）をＰ−ＧＷ７００に転送したり、Ｐ−ＧＷ７００から送信されたユーザデータ（又はメッセージ）をいずれかのルータ３００，３５０に転送することができる。
【００４６】
Ｐ−ＧＷ７００は、例えば、ＰＤＮ８００に接続されて、ＰＤＮ８００とＳ−ＧＷ６００との間のインターフェースとしての機能を有し、また、ＵＥ２００に対するＩＰアドレスの割当てなども行うことができる。Ｐ−ＧＷ７００は、ＰＤＮ８００から送信されたユーザデータをＳ−ＧＷ６００に送信し、Ｓ−ＧＷ６００から送信されたユーザデータをＰＤＮ８００に送信することができる。
【００４７】
ＰＤＮ８００は、例えば、ユーザデータなどが転送されるネットワークであり、Ｐ−ＧＷ７００やサーバ装置（図示せず）、他のネットワークなどを接続することができる。ＰＤＮ８００は、サーバ装置や他のネットワークから送信されたユーザデータなどをＰ−ＧＷ７００に転送することもできるし、Ｐ−ＧＷ７００から送信されたユーザデータをサーバ装置や他のネットワークに転送することもできる。
【００４８】
なお、ＨｅＮＢ１００、ｅＮＢ１５０、ルータ３００，３５０、ＭＭＥ４００、ＨＳＳ５００、Ｓ−ＧＷ６００、Ｐ−ＧＷ７００、及びＰＤＮ８００を適宜、ネットワーク側装置９００と称する場合がある。
【００４９】
＜ＨｅＮＢ１００の構成例など＞
次に無線通信システム１０における各装置の説明をするが、本第２の実施の形態では主として、ＨｅＮＢ１００、ＵＥ２００、ＭＭＥ４００、ＨＳＳ５００において処理が行われるため、ＨｅＮＢ１００、ＵＥ２００、ＭＭＥ４００、ＨＳＳ５００の各構成例について説明する。ｅＮＢ１５０、ルータ３００，３５０、Ｓ−ＧＷ６００、及びＰ−ＧＷ７００の各構成例の説明については省略するものとする。
【００５０】
最初にＨｅＮＢ１００の構成例について説明する。図３はＨｅＮＢ１００の構成例を表わす図である。ＨｅＮＢ１００は、アンテナ１０１、無線処理部１１０、機能部１２０、及びＩ／Ｆ部１３０を備える。
【００５１】
無線処理部１１０は、アンテナ１０１で受信した無線信号をベースバンド信号に変換（ダウンコンバート）し、ベースバンド信号からユーザデータや制御信号を抽出し、機能部１２０に出力することができる。また、無線処理部１１０は、機能部１２０から出力されたユーザデータや制御信号などを無線信号に変換（アップコンバート）し、アンテナ２０１を介してＵＥ２００に送信することができる。無線処理部１１０では、このような変換や抽出などの処理を行うため、例えば、誤り訂正符号化回路、変調回路、周波数変換回路、帯域通過フィルタ、復調回路、誤り訂正復号化回路などを備えるようにしてもよい。
【００５２】
機能部１２０は、メッセージ送受信部１２１、モード切替制御部１２２、運用モード格納メモリ１２３、及びリソース割当制御部１２４を備えている。
【００５３】
なお、例えば、ＨｅＮＢ１００は第１の実施の形態における無線基地局装置１００に対応し、モード切替制御部１２２は第１の実施の形態におけるモード切替制御部１４０に対応する。
【００５４】
メッセージ送受信部１２１は、メッセージを生成し、生成したメッセージをＩ／Ｆ部１３０を介してＭＭＥ４００やＳ−ＧＷ６００に送信することができる。また、メッセージ送受信部１２１は、Ｉ／Ｆ部１３０を介してＭＭＥ４００やＳ−ＧＷ６００から送信されたメッセージを受信することもできる。メッセージとしては、例えば、Ｓ１メッセージなどがある。メッセージ送受信部１２１は、Ｉ／Ｆ部１３０を介して、ＭＭＥ４００から、モード切替指示を含むメッセージを受け取ったとき、モード切替指示を抽出して、モード切替制御部１２２に出力することができる。
【００５５】
モード切替制御部１２２は、メッセージ送受信部１２１からモード切替指示を受け取ったとき、モード切替指示に応じたモードの切替制御を行う。例えば、モード切替制御部１２２は、切替後のモードの内容を運用モード格納メモリ１２３に格納することができる。また、モード切替制御部１２２は、リソース割当制御部１２４に対して、切替後のモードに応じた無線リソースの割当てを行うよう指示することができる。
【００５６】
運用モード格納メモリ１２３は、モード切替制御部１２２から出力された切替後のモードの内容、例えば、クローズモード、オープンモードなどのモードの内容を記憶することができる。ＨｅＮＢ１００の各部は、運用モード格納メモリ１２３に記憶されたモードにより、現在のモードがどのようなモードであるか確認することができる。
【００５７】
リソース割当制御部１２４は、モード切替制御部１２２からの指示に従って、ＨｅＮＢ１００が収容する配下のＵＥ２００に対して無線リソースの割当てを行うことができる。例えば、リソース割当制御部１２４は、クローズモードが指示されたときは、ＨｅＮＢ１００への接続が許可された加入者情報を記憶するＵＥ２００（又は当該加入者）に対して無線リソースの割当てを行う。この場合、リソース割当制御部１２４は、それ以外のＵＥ２００（又は不特定ユーザ）に対しては無線リソースの割当てを行わないようにすることができる。また、リソース割当制御部１２４は、オープンモードが指示されたときは、ＨｅＮＢ１００への接続が許可されていない加入者情報を記憶するＵＥ２００（又は不特定ユーザ）に対して無線リソースの割当てを行うことができる。オープンモードとクローズモードの各モードにおける無線リソースの割当ての例については後述することにする。
【００５８】
なお、リソース割当制御部１２４は、例えば、ＨｅＮＢ１００の電源が投入された直後は、クローズモードとして動作し、モード切替制御部１２２からオープンモードへの切替指示があったときに初めてオープンモードとして動作するようにしてもよい。
【００５９】
また、リソース割当制御部１２４は無線リソースの割当てに関してスケジューリングをすることができ、どのように無線リソースを割当てたかを示す情報を含む制御信号を生成することができる。リソース割当制御部１２４は、生成した制御信号を、無線処理部１１０などを介してＵＥ２００に送信することができる。さらに、リソース割当制御部１２４は、割当てた無線リソースを用いて、ユーザデータをＵＥ２００に送信したり、ＵＥ２００から送信されたユーザデータを受信することもできる。
【００６０】
Ｉ／Ｆ部１３０は、例えば、メッセージ送受信部１２１から出力されたメッセージをＭＭＥ４００やＳ−ＧＷ６００に送信できるフォーマットのメッセージに変換することができる。また、Ｉ／Ｆ部１３０は、例えば、ＭＭＥ４００やＳ−ＧＷ６００から受け取ったメッセージをＨｅＮＢ１００内で処理できるフォーマットに変換し、メッセージ送受信部１２１に出力することもできる。  
【００６１】
＜ＵＥ２００の構成例＞
次にＵＥ２００の構成例について説明する。図４はＵＥ２００の構成例を表わす図である。ＵＥ２００は、アンテナ２０１、無線処理部２１０、システム制御部２２０、アプリケーション部２３０、及び表示部２４０を備える。
【００６２】
なお、例えば、ＵＥ２００において、特定の加入者識別情報又は端末識別情報を記憶しているとき、ＵＥ２００は第１の実施の形態における第１の端末装置２００−１に対応する。一方、例えば、ＵＥ２００において特定の加入者識別情報又は端末識別情報を記憶していないとき、ＵＥ２００は第１の実施の形態における第２の端末装置２００−２に対応する。
【００６３】
無線処理部２１０は、アンテナ２０１で受信した無線信号をベースバンド信号に変換（ダウンコンバート）し、ベースバンド信号からユーザデータや制御信号を抽出することができる。また、無線処理部２１０は、システム制御部２２０から出力されたユーザデータなどを無線信号に変換（アップコンバート）し、アンテナ２０１を介してＨｅＮＢ１００やｅＮＢ１５０に送信することができる。無線処理部２１０では、このような変換などの処理を行うことができるよう、誤り訂正符号化回路、変調回路、復調回路、誤り訂正復号化回路、周波数変換回路などを備えるようにしてもよい。
【００６４】
システム制御部２２０は、例えば、アプリケーション部２３０や表示部２４０を制御することができ、無線処理部２１０から出力されたユーザデータをアプリケーション部２３０や表示部２４０に出力することができる。また、システム制御部２２０は、表示部２４０やアプリケーション部２３０から出力されたユーザデータなど無線処理部２１０に出力することもできる。
【００６５】
アプリケーション部２３０は、呼処理部２３１と加入者情報ＤＢ（データベース）２３２とを備える。
【００６６】
呼処理部２３１は、例えば、呼処理に関するメッセージを生成し、システム制御部２２０などを介して、ＨｅＮＢ１００やｅＮＢ１５０との間で、当該メッセージを交換することができる。また、呼処理部２３１は、加入者情報ＤＢ２３２から加入者情報を読み出して、加入者情報を含むメッセージをＨｅＮＢ１００やｅＮＢ１５０に送信することもできる。例えば、ＭＭＥ４００では、この加入者情報に基づいて、当該加入者がＨｅＮＢ１００への接続が許可された登録加入者であるか否かを判別することができる。
【００６７】
加入者情報ＤＢ２３２は、例えば、メモリなどであって、加入者情報が記憶されている。加入者情報としては、例えば、ＩＭＳＩなどの加入者識別子（又は加入者識別番号）などである。このような加入者情報は、例えば、ＵＥ２００が工場から出荷される際に加入者情報ＤＢ２３２に記憶される。
【００６８】
＜ＭＭＥ４００＞
次に、ＭＭＥ４００の構成例について説明する。図５はＭＭＥ４００の構成例を表わす図である。ＭＭＥ４００は、Ｉ／Ｆ部４１０，４３０と機能部４２０を備える。ここで、機能部４２０は、モード切替変更検出部４２１、モード切替信号生成部４２２、及びメッセージ送受信部４２３を備えている。
【００６９】
Ｉ／Ｆ部４１０は、ルータ３００，３５０を介し、ＨｅＮＢ１００やｅＮＢ１５０と接続され、ＨｅＮＢ１００やｅＮＢ１５０から送信されたメッセージを受信し、受信したメッセージをＭＭＥ４００内で処理できるフォーマットに変換することができる。また、Ｉ／Ｆ部４１０は、メッセージ送受信部４２３から出力されたメッセージを、ＨｅＮＢ１００やｅＮＢ１５０に送信できるフォーマットに変換し、変換されたメッセージをＨｅＮＢ１００やｅＮＢ１５０に送信することができる。
【００７０】
モード切替変更検出部４２１は、例えば、メッセージ送受信部４２３からのメッセージに基づいて、ＨｅＮＢ１００への接続が許可された加入者情報を記憶するＵＥ２００（又は登録加入者）がフェムトサービスエリア１００−１に位置するか否かを検出することができる。そして、モード切替変更検出部４２１は、フェムトサービスエリア１００−１に当該ＵＥ２００が全て存在しないことを検出したとき、ＨｅＮＢ１００における接続モードをオープンモードに切替える旨をモード切替信号生成部４２２に通知する。さらに、モード切替変更検出部４２１は、その後、当該ＵＥ２００がフェムトサービスエリア１００−１の範囲内に戻ってきたことを検出したとき、接続モードをクローズモードに切替える旨をモード切替信号生成部４２２に通知することができる。このように、モード切替変更検出部４２１により、例えば、ＨｅＮＢ１００における接続モードの切替え指示が行われる。
【００７１】
モード切替信号生成部４２２は、モード切替変更検出部４２１から、接続モードをオープンモードにしたり、クローズモードにしたりする旨の通知を受け取ったとき、その通知に応じたモード切替信号を生成する。モード切替信号は、例えば、オープンモードに切替を指示する信号であったり、クローズモードに切替を指示する信号などの場合がある。モード切替信号生成部４２２は、生成したモード切替信号をメッセージ送受信部４２３に出力する。
【００７２】
メッセージ送受信部４２３は、Ｉ／Ｆ部４１０，４３０で受信したメッセージをモード切替変更検出部４２１に出力したり、Ｉ／Ｆ部４３０，４１０にそれぞれ出力したりすることができる。例えば、メッセージ送受信部４２３は、モード切替信号生成部４２２からモード切替信号を受け取ったとき、モード切替指示を含むメッセージを生成し、ＨｅＮＢ１００に送信することができる。また、メッセージ送受信部４２３は、Ｉ／部４１０を介してＨｅＮＢ１００から加入者情報などを含むメッセージを受け取ったとき、ＩＦ部４３０を介してＨＳＳ５００に送信することもできる。さらに、メッセージ送受信部４２３は、ＨＳＳ５００から送信されたメッセージをＩ／Ｆ部４１０を介してＨｅＮＢ１００に送信することもできる。
【００７３】
Ｉ／Ｆ部４３０は、例えば、ＨＳＳ５００やＳ−ＧＷ６００と接続され、ＨＳＳ５００やＳ−ＧＷ６００から送信されたメッセージをＭＭＥ４００内で処理できるフォーマットに変換して、メッセージ送受信部４２３やＩＦ部４１０に出力することができる。また、Ｉ／Ｆ部４３０は、例えば、メッセージ送受信部４２３から出力されたメッセージを、ＨＳＳ５００やＳ−ＧＷ６００に送信できるフォーマットに変換して、ＨＳＳ５００やＳ−ＧＷ６００にそれぞれ送信することができる。
【００７４】
＜ＨＳＳ５００の構成例＞
次にＨＳＳ５００の構成例について説明する。図６はＨＳＳ５００の構成例を表わす図である。ＨＳＳ５００は、Ｉ／Ｆ部５１０と機能部５２０、及び加入者情報ＤＢ５３０とを備える。また、機能部５２０はメッセージ送受信部５２１を備える。
【００７５】
Ｉ／Ｆ部５１０は、例えば、ＭＭＥ４００と接続され、ＭＭＥ４００から送信されたメッセージを受信して、ＨＳＳ５００内で処理できるフォーマットに変換することができる。また、Ｉ／Ｆ部５１０は、例えば、メッセージ送受信部５２１から出力されたメッセージに対して、ＭＭＥ４００に送信できるフォーマットに変換して、ＭＭＥ４００に送信することもできる。
【００７６】
メッセージ送受信部５２１は、例えば、ＭＭＥ４００との間でメッセージを送受信することができる。メッセージ送受信部５２１は、例えば、ＭＭＥ４００から加入者情報（例えば、加入者識別子（ＩＭＳＩ：International Mobile Subscriber Identity））を含むメッセージを受信したとき、加入者情報に対応する加入者情報（例えば、許容されているＣＳＧ ＩＤリストを含む）を加入者情報ＤＢ５３０から読み出す。そして、メッセージ送受信部５２１は、読み出した加入者情報をメッセージとしてＭＭＥ４００に送信する。
【００７７】
ここで、ＣＳＧ  ＩＤについて説明する。ＣＳＧ  ＩＤは、例えば、１又は複数の無線基地局装置（例えば、ＨｅＮＢ１００やｅＮＢ１５０）に割当てられる識別情報である。例えば、ＣＳＧリストとして、ＣＳＧ  ＩＤと加入者情報とを組み合わせることができる。
【００７８】
このＣＳＧ  ＩＤによりＭＭＥ４００はＵＥ２００から受け取った加入者情報が登録加入者であるか否かを検出することができる。例えば、ＭＭＥ４００は、自身が収容する無線基地局装置（例えばＨｅＮＢ１００やｅＮＢ１５０）のＣＳＧ  ＩＤを保持しており、自身が収容する無線基地局装置のＣＳＧ  ＩＤとＨＳＳ５００から受信した加入者情報にあるＣＳＧ  ＩＤリストとが一致するか否かを判別する。ＭＭＥ４００は、自身が収容する無線基地局装置のＣＳＧ  ＩＤとＨＳＳ５００から受け取ったＣＳＧ  ＩＤとが一致するとき、その一致するＣＳＧ  ＩＤを有するＨｅＮＢ１００において収容するＵＥ２００は、ＨｅＮＢ１００への接続が許可された加入者情報を保持するＵＥ２００として、接続を許可される。一方、ＭＭＥ４００は、自身が収容する無線基地局装置のＣＳＧ  ＩＤとＭＭＥ４００から受け取ったＣＳＧ  ＩＤとが一致しないとき、ＨｅＮＢ１００において収容するＵＥ２００は接続が許可されていない加入者情報を記憶するＵＥ２００として、ＨｅＮＢ１００は接続を許可しないようにする。
【００７９】
このように、ＣＳＧ  ＩＤを用いることにより、接続が許可された加入者情報を記憶するＵＥ２００からの接続と、それ以外のＵＥ２００からの接続とを区別することができる。例えば、ＨｅＮＢ１００への接続について、接続が許可された加入者情報を記憶するＵＥ２００に対しては接続を容認し、それ以外のＵＥ２００に対しては接続を容認しないようにすることができる。
【００８０】
図６に戻り、加入者情報ＤＢ５３０は、例えば、メモリであって、このようなＣＳＧリストを保持することができ、ＣＳＧ  ＩＤごとに加入者情報を保持することができる。例えば、ＣＳＧリストは、ＨｅＮＢ１００において生成され、適宜、ＨｅＮＢ１００からＭＭＥ４００を経由して、ＨＳＳ５００で保持することができる。
【００８１】
＜動作例について＞
次に本第２の実施の形態における動作例について説明する。以下では、モード変更処理の動作例と、位置登録処理を含む全体の動作例について説明する。このうち、図７はモード変更処理を含む動作例を表わすフローチャートである。また、図８は位置登録を含む全体の動作例を表わすフローチャートである。図７と図８において重複した処理の部分には同一の番号が付されている。
【００８２】
図７は、ＨｅＮＢ１００とＭＭＥ４００との間でリンク設定処理（Ｓ１０〜Ｓ１１）が行われた後、モード変更処理（Ｓ１３〜Ｓ１６，Ｓ１７〜Ｓ２０）が行われる場合のシーケンス例を表わしている。
【００８３】
リンク設定処理においては、ＨｅＮＢ１００は、ＭＭＥ４００に対して、「Ｓ１  Ｓｅｔｕｐ  ＲＥＱ」メッセージを送信する（Ｓ１０）。例えば、ＨｅＮＢ１００は、電源投入時などにおいて、「Ｓ１  Ｓｅｔｕｐ  ＲＥＱ」メッセージを送信することができる。なお、ＨｅＮＢ１００は、この「Ｓ１  Ｓｅｔｕｐ  ＲＥＱ」メッセージにおいて、ＣＳＧリストも送信することができる。ＣＳＧリストには、例えば、ＨｅＮＢ１００のＣＳＧ  ＩＤが含まれる。
【００８４】
なお、ＣＳＧリストは、ＭＭＥ４００からＨＳＳ５００に送信されて、ＨＳＳ５００において保持される。例えば、ＨＳＳ５００の加入者情報ＤＢ５３０に格納されることができる。
【００８５】
ＭＭＥ４００は、「Ｓ１  Ｓｅｔｕｐ  ＲＥＱ」メッセージを受信すると、当該メッセージに対する応答メッセージである「Ｓ１  Ｓｅｔｕｐ  ＲＥＳ」メッセージをＨｅＮＢ１００に送信する（Ｓ１１）。
【００８６】
次いで、ＨｅＮＢ１００は、自局がクローズモードであることを示す情報を含む報知メッセージ（又は報知情報）を生成し、生成した報知メッセージを自局のフェムトサービスエリア１００−１においてブロードキャストで送信する（Ｓ１２）。ＨｅＮＢ１００は、例えば、電源投入後、クローズモードとして動作することができ、リンク設定処理後、自局がクローズモードであることを報知情報として送信することができる。この場合、ＨｅＮＢ１００は、報知情報に自局のＣＳＧ  ＩＤを含ませることもできる。これにより、報知情報を受信したＵＥ２００はＨｅＮＢ１００がクローズモードで動作していることを認識することができる。
【００８７】
その後、ＭＭＥ４００は、ＨｅＮＢ１００のフェムトサービスエリア１００−１において、ＨｅＮＢ１００への接続が許可された加入者情報を記憶するＵＥ２００が全て存在しないことを検出すると、接続モードをオープンモードに変更指示するメッセージを送信する（Ｓ１３）。例えば、モード切替変更検出部４２１において、当該ＵＥ２００がすべて存在しなくなることを検出し、モード切替信号生成部４２２とメッセージ送受信部４２３において当該メッセージを生成し送信することができる。
【００８８】
図７の例では、「ｅＮＢ  ｃｏｎｆｉｇｕｒａｔｉｏｎ  ｕｐｄａｔｅ  ｉｎｄｉｃａｔｉｏｎ」メッセージ内において、オープンモードへの変更を指示する情報が挿入される（Ｓ１３）。
【００８９】
図９は、「ｅＮＢ  ｃｏｎｆｉｇｕｒａｔｉｏｎ  ｕｐｄａｔｅ  ｉｎｄｉｃａｔｉｏｎ」メッセージの例を表わす図である。当該メッセージの「Ｎｅｗ  Ａｃｃｅｓｓ  ｍｏｄｅ」のフィールドには、ＨｅＮＢ１００に対して変更後の接続モードに関する情報が挿入される。図７のＳ１３の例では、「Ｎｅｗ  Ａｃｃｅｓｓ  ｍｏｄｅ」フィールドにオープンモードへの変更を指示する情報が挿入される。
【００９０】
図７に戻り、ＨｅＮＢ１００は当該メッセージを受け取ると（Ｓ１３）、接続モードをクローズモードからオープンモードに変更することができる。例えば、モード切替制御部１２２は、接続モードがオープンモードであることを運用モード格納メモリ１２３に記憶し、リソース割当制御部１２４に対してオープンモードで無線リソースの割当てを行うよう指示する。
【００９１】
次いで、ＨｅＮＢ１００は、「ｅＮＢ  ｃｏｎｆｉｇｕｒａｔｉｏｎ  ｕｐｄａｔｅ  ｉｎｄｉｃａｔｉｏｎ」メッセージに対して、更新された設定情報を含む「ｅＮＢ  ｃｏｎｆｉｇｕｒａｔｉｏｎ  ｕｐｄａｔｅ」メッセージを生成して、ＭＭＥ４００に送信する（Ｓ１４）。
【００９２】
次いで、ＭＭＥ４００は、「ｅＮＢ  ｃｏｎｆｉｇｕｒａｔｉｏｎ  ｕｐｄａｔｅ」メッセージに対して、「ｅＮＢ  ｃｏｎｆｉｇｕｒａｔｉｏｎ  ｕｐｄａｔｅ  ａｃｋ」メッセージをＨｅＮＢ１００に送信する（Ｓ１５）。「ｅＮＢ  ｃｏｎｆｉｇｕｒａｔｉｏｎ  ｕｐｄａｔｅ  ａｃｋ」メッセージは、例えば、ＭＭＥ４００が正常に「ｅＮＢ  ｃｏｎｆｉｇｕｒａｔｉｏｎ  ｕｐｄａｔｅ」メッセージを受信できたことをＨｅＮＢ１００に通知するためのメッセージである。この場合、ＨｅＮＢ１００はオープンモードとして動作するため、ＭＭＥ４００はＨＳＳ６００から受け取ったＣＳＧリストをＨｅＮＢ１００に送信しないようにすることができる。
【００９３】
次いで、ＨｅＮＢ１００は、自局がオープンモードであることを示す情報を含む報知情報を送信する（Ｓ１６）。例えば、モード切替制御部１２２は、オープンモードであることを示すメッセージを受信すると、メッセージ送受信部１２１にその旨を通知し、メッセージ送受信部１２１において、当該報知情報を生成し、送信することができる。ＨｅＮＢ１００は、報知情報に自局のＣＳＧ  ＩＤを含ませて送信することができる。報知情報を受信したＵＥ２００は、ＨｅＮＢ１００がオープンモードで動作することを認識することができる。
【００９４】
その後、ＨｅＮＢ１００において接続が許可された加入者情報を記憶するＵＥ２００がフェムトサービスエリア１００−１の範囲内に戻ってくると、ＭＭＥ４００は接続モードをクローズモード（又はハイブリッドモード）に変更するよう指示するメッセージを送信する（Ｓ１７）。当該ＵＥ２００がフェムトサービスエリア１００−１に戻ってきたか否かの検出処理は後述する。
【００９５】
クローズモード（又はハイブリッドモード）への変更指示は、例えば、クローズモードを指示する情報が挿入された「ｅＮＢ  ｃｏｎｆｉｇｕｒａｔｉｏｎ  ｕｐｄａｔｅ  ｉｎｄｉｃａｔｉｏｎ」メッセージにより行うことができる。図９の例では、例えば、「Ｎｅｗ  Ａｃｃｅｓｓ  ｍｏｄｅ」フィールドにクローズモードへの変更指示を示す情報が挿入される。例えば、ＭＭＥ４００のモード切替信号生成部４２２はクローズモードへのモード切替え通知をモード切替変更検出部４２１から受け取ると、クローズモードへの変更指示を示すモード切替信号を生成する。そして、メッセージ送受信部４２３はこのモード切替信号に基づいて当該メッセージを生成することができる。
【００９６】
そして、ＨｅＮＢ１００は、更新された設定情報を送信し（Ｓ１８）、ＭＭＥ４００は設定情報を受信したことを示す確認メッセージを送信する（Ｓ１９）。この場合、ＭＭＥ４００は、確認メッセージ（例えば、「ｅＮＢ  ｃｏｎｆｉｇｕｒａｔｉｏｎ  ｕｐｄａｔｅ  ａｃｋ」メッセージ）にＣＳＧリストを含めて送信することができる。
【００９７】
次いで、ＨｅＮＢ１００は、自局がクローズモードであることを示す情報を含む報知メッセージをフェムトサービスエリア１００−１にブロードキャストで送信する（Ｓ２０）。この場合、ＨｅＮＢ１００は、自局の識別子（例えば、ＣＳＧ  ＩＤ）を報知メッセージに含ませて送信することができる。報知情報を受信したＵＥ２００は、ＨｅＮＢ１００がクローズモードで動作することを認識することができる。
【００９８】
次に、モード変更処理を含む全体処理の動作例について、図８を用いて説明する。図８は全体の動作例として、位置登録処理を含むシーケンス例を表わしている。
【００９９】
なお、図８の例では、ＨｅＮＢ１００とＭＭＥ４００との間でリンク設定処理（図７のＳ１０〜Ｓ１１）が既に行われたものとし、ＨｅＮＢ１００がクローズモードで動作しているものとして説明する。この場合、ＨＳＳ５００は、例えば、加入者ごとに（又は加入者識別子ごとに）加入者情報（許容されているＣＳＧ  ＩＤリストを含む）を保持している。
【０１００】
また、図８において「ｎｅｗ  ＭＭＥ」とあるが、例えば、ＵＥ２００が新たに無線接続するＨｅＮＢ１００を収容するＭＭＥ４００のことであって、ＵＥ２００がそれまで無線接続したｅＮＢを収容するＭＭＥを「Ｏｌｄ  ＭＭＥ／ＳＧＳＮ（Serving General packet radio service Support Node）」と称している。２つのＭＭＥは直接接続されてもよいし、ＨＳＳ９００の配下に２つのＭＭＥが接続される構成となっていてもよい。図８におけるＳ３２とＳ３３の処理におけるメッセージは直接、或いはＨＳＳ９００を介して送受信される。
【０１０１】
最初に、ＵＥ２００は、ＨｅＮＢ１００のフェムトサービスエリア１００−１内に移動すると、「Ａｔｔａｃｈ  Ｒｅｑｕｅｓｔ」メッセージを送信する（Ｓ３０）。これにより、例えば、ＵＥ２００はＨｅＮＢ１００に対して登録処理を開始させる（又はＵＥ２００の登録を要求する）ことができる。例えば、ＵＥ２００の呼処理部２３１が当該メッセージを生成し、送信することができる。なお、ＵＥ２００は、「Ａｔｔａｃｈ  Ｒｅｑｕｅｓｔ」メッセージに加入者情報を含ませて送信する。
【０１０２】
次いで、ＨｅＮＢ１００は、ＭＭＥ（又はｎｅｗ  ＭＭＥ）４００に「Ａｔｔａｃｈ  Ｒｅｑｕｅｓｔ」メッセージを送信する（Ｓ３１）。これにより、例えば、ＨｅＮＢ１００はＭＭＥ４００に対して、ＵＥ２００の登録処理を開始させる（又はＵＥ２００の登録を要求する）ことができる。このとき、ＨｅＮＢ１００はＵＥ２００から受信した「Ａｔｔａｃｈ  Ｒｅｑｕｅｓｔ」メッセージに含まれる加入者情報を抽出し、当該加入者情報を含む「Ａｔｔａｃｈ  Ｒｅｑｕｅｓｔ」メッセージをＭＭＥ４００に送信することができる。
【０１０３】
次いで、ＭＭＥ４００は、Ｏｌｄ  ＭＭＥ／ＳＧＳＮに対して、「Ｉｄｅｎｔｉｆｉｃａｔｉｏｎ  Ｒｅｑｕｅｓｔ」メッセージを送信する（Ｓ３２）。これにより、例えば、ｎｅｗ  ＭＭＥ４００は自己が収容するＨｅＮＢ１００配下にＵＥ２００が移動してきたことをＯｌｄ  ＭＭＥ／ＳＧＳＮに知らせることができる。Ｏｌｄ  ＭＭＥ／ＳＧＳＮは、当該メッセージに対する応答メッセージである「Ｉｄｅｎｔｉｆｉｃａｔｉｏｎ  Ｒｅｓｐｏｎｓｅ」メッセージをＭＭＥ４００に送信する（Ｓ３３）。
【０１０４】
次いで、ＭＭＥ４００は、ＵＥ２００に対して、「Ｉｄｅｎｔｉｔｙ  Ｒｅｑｕｅｓｔ」メッセージを送信する（Ｓ３４）。この場合、ＭＭＥ４００は、例えば、Ｓ３１の処理により受信した加入者情報を含む「Ｉｄｅｎｔｉｔｙ  Ｒｅｑｕｅｓｔ」メッセージを送信することができる。
【０１０５】
一方、ＵＥ２００は、「Ｉｄｅｎｔｉｔｙ  Ｒｅｑｕｅｓｔ」メッセージに対して、「Ｉｄｅｎｔｉｔｙ  Ｒｅｓｐｏｎｓｅ」メッセージを応答する（Ｓ３５）。この場合、ＵＥ２００は、加入者情報を含む「Ｉｄｅｎｔｉｔｙ  Ｒｅｓｐｏｎｓｅ」メッセージを生成して応答することができる。これにより、例えば、ＵＥ２００に記憶された加入者情報がＭＭＥ４００とＵＥ２００との間で往復されて、ＭＭＥ４００は加入者情報がＵＥ２００のものであることを確認することができる。
【０１０６】
なお、Ｓ３４とＳ３５の処理において送受信されるメッセージはＨｅＮＢ１００を経由しており、例えば、ＨｅＮＢ１００ではこれらのメッセージを転送するようにしている。
【０１０７】
次いで、ＭＭＥ４００とＵＥ２００との間で認証処理が行われる（Ｓ３６）。また、ＭＭＥ４００とＨＳＳ５００との間でも認証処理が行われる（Ｓ３７）。
【０１０８】
この認証処理において、或いは、認証処理とは別に、ＭＭＥ４００はＨＳＳ５００に対して、加入者情報をＨＳＳ５００に送信する（Ｓ３８）。そして、ＨＳＳ５００は、加入者情報に対応するＣＳＧ  ＩＤをＭＭＥ４００に送信する（Ｓ３９）。
【０１０９】
ＭＭＥ４００では、例えば、収容するＨｅＮＢ１００のＣＳＧ  ＩＤをリスト設定処理（Ｓ１０）において保持することができ、保持したＣＳＧ  ＩＤと、ＨＳＳ５００から受け取ったＣＳＧ  ＩＤ（Ｓ３９）とを比較する。ＭＭＥ４００は、２つのＣＳＧ  ＩＤが一致するとき、ＨｅＮＢ１００配下のＵＥ２００は、ＨｅＮＢ１００への接続が許可された加入者情報を記憶するＵＥ２００と認識し、当該ＵＥ２００の接続を許可する。一方、ＭＭＥ４００は、２つのＣＳＧ  ＩＤが一致しないとき、ＨｅＮＢ１００配下のＵＥ２００は、ＨｅＮＢ１００への接続が許可されていない加入者情報を記憶するＵＥ２００と認識し、当該ＵＥ２００の接続を許可しない。
【０１１０】
そして、ＭＭＥ４００は、接続が許可された加入者情報を記憶するＵＥ２００に対して、「Ａｔｔａｃｈ  Ａｃｃｅｐｔ」メッセージをＨｅＮＢ１００に送信する（Ｓ４４）。図７においては、「Ｉｎｉｔｉａｌ  Ｃｏｎｔｅｘｔ  Ｓｅｔｕｐ  Ｒｅｑｕｅｓｔ」メッセージが「Ａｔｔａｃｈ  Ａｃｃｅｐｔ」を兼ねるメッセージとなっている。
【０１１１】
一方、ＭＭＥ４００は、接続が許可されていない加入者情報を記憶するＵＥ２００に対しては、「Ａｔｔａｃｈ  Ｒｅｊｅｃｔ」メッセージをＨｅＮＢ１００に送信する（Ｓ５１）。この場合、ＨｅＮＢ１００は当該ＵＥ２００に対してサービスの提供を行わないことになる。
【０１１２】
なお、ＭＭＥ４００は、ＣＳＧ  ＩＤをＨＳＳ９００から受け取ると（Ｓ３９）、ＵＥ２００の位置登録を更新するために位置更新処理（Ｓ４０からＳ４３）を行う。ＨＳＳ５００を介してＭＭＥ４００とＯｌｄ  ＭＭＥ／ＳＧＳＮとの間で、メッセージが交換されることで、例えば、ＵＥ２００の位置登録が更新される。
【０１１３】
「Ａｔｔａｃｈ  Ａｃｃｐｅｔ」を受信したＨｅＮＢ１００は、「Ａｔｔａｃｈ  Ａｃｃｅｐｔ」メッセージ（「ＲＲＣ  Ｃｏｎｎｅｃｔｉｏｎ  Ｒｅｃｏｎｆｉｇｕｒａｔｉｏｎ」）をＵＥ２００に送信する（Ｓ４５）。これにより、ＵＥ２００は自局がＨｅＮＢ１００への接続が許可された端末であることを認識できる。
【０１１４】
「Ａｔｔａｃｈ  Ａｃｃｅｐｔ」メッセージを受信したＵＥ２００は、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージを送信する（Ｓ４６）。これにより、例えば、ＨｅＮＢ１００はＲＲＣコネクションが完了したことを確認する。
【０１１５】
次いで、ＨｅＮＢ１００は、「Ｉｎｔｉａｌ  Ｃｏｎｔｅｘｔ  Ｓｅｔｕｐ  Ｒｅｓｐｏｎｓｅ」メッセージをＭＭＥ４００に送信する（Ｓ４７）。
【０１１６】
次いで、ＵＥ２００は、「Ａｔｔａｃｈ  Ｃｏｍｐｌｅｔｅ」メッセージをＨｅＮＢ１００に送信し（Ｓ４８）、ＨｅＮＢ１００は「Ａｔｔａｃｈ  Ｃｏｍｐｌｅｔｅ」メッセージをＭＭＥ４００に送信する（Ｓ４９）。
【０１１７】
以後、ＵＥ２００は、Ｐ−ＧＷ７００などを介してユーザデータを受信したり、送信したりすることができる（Ｓ５０）。
【０１１８】
その後、ＵＥ２００が、例えば電源をオフにしたとき、「Ｄｅｔａｃｈ  Ｒｅｑｕｅｓｔ」メッセージをＨｅＮＢ１００に送信する（Ｓ５２）。これにより、例えば、ＵＥ２００はＨｅＮＢ１００との無線接続の切断を要求することができる。ＨｅＮＢ１００は、「Ｄｅｔａｃｈ  Ｒｅｑｕｅｓｔ」メッセージに対して、「Ｄｅｔａｃｈ  Ｒｅｓｐｏｎｓｅ」メッセージをＵＥ２００に送信し、ＵＥ２００のＨｅＮＢ１００との無線接続の切断を許可する。
【０１１９】
そして、ＵＥ２００が、例えば、ＨｅＮＢ１００のフェムトサービスエリア１００−１の範囲からｅＮＢ１５０のマクロサービスエリア１５０−１の範囲内に移動して、電源をオンにしたとき、ＵＥ２００はｅＮＢ１５０に対して登録処理を要求する（Ｓ５４）。ＵＥ２００は、「Ａｔｔａｃｈ  Ｒｅｑｕｅｓｔ」メッセージ内において、Ｓ３０の処理と同様に、加入者情報を含ませて送信することができる。
【０１２０】
次いで、ｅＮＢ１５０は、「Ａｔｔａｃｈ  Ｒｅｑｕｅｓｔ」メッセージをＭＭＥ４００に送信する（Ｓ５５）。ＭＭＥ４００は、この「Ａｔｔａｃｈ  Ｒｅｑｕｅｓｔ」メッセージをｅＮＢ１５０から受け取ることで、ＵＥ２００がＨｅＮＢ１００のフェムトサービスエリア１００−１からｅＮＢ１５０のマクロサービスエリア１５０−１に移動したことを検出することができる。
【０１２１】
すなわち、ＭＭＥ４００は、ｅＮＢ１５０から受信した「Ａｔｔａｃｈ  Ｒｅｑｕｅｓｔ」メッセージ（Ｓ５４）に対して加入者情報を抽出する。そして、ＭＭＥ４００は、ＨｅＮＢ１００において位置登録をした加入者情報について、ＨｅＮＢ１００からではなくｅＮＢ１５０から受信することで（Ｓ５５）、接続が許可された加入者情報を記憶したＵＥ２００がフェムトサービスエリア１００−１の範囲外に移動したことを検出することができる。
【０１２２】
そして、ＭＭＥ４００は、接続が許可されたすべての加入者情報をＨｅＮＢ１００からではなく、ｅＮＢ１５０からの受け取ることで、ＨｅＮＢ１００のフェムトサービスエリア１００−１の範囲内に当該ＵＥ２００が位置しないことを検出することができる。ＭＭＥ４００は、図７におけるＳ１０の処理や、ＣＳＧ  ＩＤとともにＨＳＳ９００からＣＳＧリストを受け取ること（Ｓ３９）ことで、ＨｅＮＢ１００への接続が許可されたすべての加入者情報を保持することができる。ＭＭＥ４００はすべての加入者情報について、ＨｅＮＢ１００以外の無線基地局装置（例えばｅＮＢ１５０）から受け取ったとき、ＨｅＮＢ１００への接続が許可された加入者情報を記憶するＵＥ２００がＨｅＮＢ１００配下から全ていなくなったことを検出できる。
【０１２３】
ＭＭＥ４００は、このように、接続が許可された加入者情報を記憶するＵＥ２００がＨｅＮＢ１００配下から全ていなくなることを検出すると、オープンモードに変更することを指示するメッセージを送信することができる（Ｓ１３）。
【０１２４】
以後は、図７に示すようにモード変更処理（Ｓ１４〜Ｓ１６）が行われる。
【０１２５】
その後、ＨｅＮＢ１００への接続が許可されたユーザがＨｅＮＢ１００配下に移動すると、ＨｅＮＢ１００に対して「Ａｔｔａｃｈ  Ｒｅｑｕｅｓｔ」メッセージを送信する（図８のＳ３０）。
【０１２６】
従って、ＭＭＥ４００は、ＨｅＮＢ１００から「Ａｔｔａｃｈ  Ｒｅｑｕｅｓｔ」メッセージ（図８のＳ３１）を受け取ると、接続が許可された加入者情報を記憶するＵＥ２００がＨｅＮＢ１００配下に戻ってきたことを検出することができる。このような場合、ＭＭＥ４００は、接続モードをオープンモードからクローズモード（又はハイブリッドモード）への変更指示を行うことができる（図７のＳ１７）。
【０１２７】
ここで、オープンモードとクローズモードにおける無線リソースの割当て例について説明する。図１０（Ａ）及び図１０（Ｂ）は無線リソースのうち周波数リソースの例をそれぞれ表わす図である。
【０１２８】
図１０（Ａ）に示すように、例えば、ＨｅＮＢ１００は「８００ＭＨｚ」を中心周波数とする一定の帯域幅を有する周波数帯域を周波数リソースとして使用することができる。また、ｅＮＢ１５０は、例えば、「１．５ＧＨｚ」を中心周波数とする一定の帯域幅を有する周波数帯域を周波数リソースとして使用することができる。フェムトサービスエリア１００−１とマクロサービスエリア１５０−１はそのサービスエリアが一部重複しており、ＨｅＮＢ１００とｅＮＢ１５０においてそれぞれ送受信される無線信号が干渉しないようにするために、異なる周波数帯域が利用される。図１０（Ａ）に示す周波数帯域は一例であって、それ以外の周波数帯域が利用されてもよい。
【０１２９】
図１０（Ｂ）は、フェムトサービスエリア１００−１においてＵＥ２００に割当てられる周波数リソースの例である。ＨｅＮＢ１００は、クローズモードのとき、接続が許可された加入者情報を記憶するＵＥ２００（又は接続が許可された登録加入者）に対して、「８００ＭＨｚ」の周波数帯域を割当てることができる。
【０１３０】
一方、接続モードがオープンモードのとき、ＨｅＮＢ１００は「８００ＭＨｚ」の周波数帯域を、接続が許可されていない加入者情報を記憶するＵＥ２００（又は不特定ユーザ）に対して割当てることができる。結局、ＨｅＮＢ１００用の「８００ＭＨｚ」帯域の周波数リソースは、それ自体に変更はないが、オープンモードのときは不特定ユーザに、クローズモードのときには登録加入者に、それぞれ割当てられる。
【０１３１】
さらに、ＨｅＮＢ１００のフェムトサービスエリア１００−１に位置する不特定ユーザは、ｅＮＢ１５０用の周波数リソースの割当てを受けることも可能である。この場合、不特定ユーザの使用するＵＥ２００はｅＮＢ１５０に接続して無線通信を行うことができる。
【０１３２】
よって、ＨｅＮＢ１００の接続モードがオープンモードのとき、フェムトサービスエリア１００−１の範囲内に存在する、ＨｅＮＢ１００への接続が許可されていない加入者情報を記憶するＵＥ２００（又は不特定ユーザ）は２つの無線リソースを使用することができる。２つの無線リソースは、ＨｅＮＢ用の無線リソースとｅＮＢ用の無線リソースである。例えば、ｅＮＢ１５０において輻輳が発生するような場合でも、ＨｅＮＢ用の周波数リソースが使用されることで、不特定ユーザはＨｅＮＢ１００からサービスの提供を受けることができるようになる。
【０１３３】
このように本第２の実施の形態では、ＨｅＮＢ１００配下にＨｅＮＢ１００への接続が許可された加入者情報を記憶したＵＥ２００が全ていなくなるとき、ＨｅＮＢ１００は、接続モードをクローズモードからオープンモードに切替えることができる。この場合、ＨｅＮＢ１００は、オープンモードのときは、接続が許可されていない加入者情報を記憶したＵＥ２００（又は不特定ユーザ）に対してサービスを提供することができる。
【０１３４】
従って、周辺基地局であるｅＮＢ１５０において輻輳が発生しているような状況のときでも、フェムトサービスエリア１００−１のＵＥ２００は、ＨｅＮＢ１００からサービスの提供を受けることができる。
【０１３５】
また、ＨｅＮＢ１００がオープンモードのとき、例えば、ＨｅＮＢ１００は、接続が許可されたユーザに対して一部の無線リソースを確保することなく、不特定ユーザに対して全ての無線リソースを割当てることができる。従って、例えば、オープンモードのときでも接続が許可されたユーザのために一部の無線リソースが確保される場合と比較して、本例のユーザはＨｅＮＢ１００からサービスの提供を受ける確率は高くなる。
【０１３６】
図１１は本第２の実施の形態における他の動作例を表わすシーケンス図である。図１１の例は、例えば、ＵＥ２００がハンドオーバにより接続基地局をＨｅＮＢ１００からｅＮＢ１５０に変更する例である。図８と同一の処理の部分には同一の符号が付されている。
【０１３７】
ハンドオーバが行われる場合、ＵＥ２００はＨｅＮＢ１００に対して、「ＨＯ  Ｒｅｑｕｅｓｔ」メッセージを送信することで、ｅＮＢ１５０に対するハンドオーバを要求することができる（Ｓ６０）。
【０１３８】
ＨｅＮＢ１００は、「ＨＯ  Ｒｅｑｕｅｓｔ」メッセージに対して、「ＨＯ  Ｒｅｓｐｏｎｓｅ」メッセージを送信し、例えば、ｅＮＢ１５０に対するハンドオーバを許可することができる（Ｓ６１）。
【０１３９】
ハンドオーバの許可を受けたＵＥ２００は、ｅＮＢ１５０に対して、「Ａｔｔａｃｈ  Ｒｅｑｕｅｓｔ」メッセージを送信し（Ｓ５４）、ＭＭＥ４００は、ｅＮＢ１５０から「Ａｔｔａｃｈ  Ｒｅｑｕｅｓｔ」メッセージを受信することができる（Ｓ５５）。これにより、図８の例と同様に、ＭＭＥ４００は、接続が許可された加入者情報を記憶したＵＥ２００（又は登録加入者）がＨｅＮＢ１００からｅＮＢ１５０に移動したことを検出することができる。以後は、図８などに示す動作例が実施されることができる。
【０１４０】
このようにＵＥ２００がＨｅＮＢ１００からｅＮＢ１５０にハンドオーバする場合（例えば図１１）でも、上述した例（例えば図８）と同様に実施することができる。
【０１４１】
［第３の実施の形態］
次に第３の実施の形態について説明する。第２の実施の形態では、例えば、ＭＭＥ２００において、ＨｅＮＢ１００への接続が許可された加入者情報を保持したＵＥ２００（又は登録加入者）の不在を検出する例について説明した。本第３の実施の形態では、ＨｅＮＢ１００において当該ＵＥ２００の不在を検出する例について説明する。
【０１４２】
図１２（Ａ）は第３の実施の形態におけるＨｅＮＢ１００、図１２（Ｂ）は本第３の実施の形態におけるＭＭＥ４００の構成例をそれぞれ表わす図である。本第３の実施の形態では、ＨｅＮＢ１００において登録加入者の不在を検出するため、ＨｅＮＢ１００において、更にモード切替変更検出部１２５を備えている。ＭＭＥ４００には、モード切替変更検出部４２１とモード切替信号生成部４２２（例えば図５）がないものとなっている。
【０１４３】
モード切替変更検出部１２５は、例えば、ＵＥ２００の接続の有無を検出して、ＨｅＮＢ１００の接続モードをクローズモードからオープンモードに切替えたり、オープンモードからクローズモード（又はハイブリッドモード）に切替える。ＵＥ２００の接続の有無の検出は、例えば、モード切替変更検出部１２５が無線処理部１１０において受信する無線信号を監視することで検出することができる。詳細は後述する。モード切替変更検出部１２５は、ＵＥ２００の接続の有無により、接続モードを変更するとき、変更後の接続モードをモード切替制御部１２２に通知する。モード切替制御部１２２は、第２の実施の形態と同様に、切替後のモードを運用モード格納メモリ１２３に記憶したり、切替後のモードにより無線リソースの割当てを行うようリソース割当制御部１２４を制御することができる。
【０１４４】
図１３は第３の実施の形態におけるモード切替処理の動作例を表わす図である。第２の実施の形態における動作例と同一の処理には同一の符号が付されている。
【０１４５】
ＨｅＮＢ１００はＭＭＥ４００との間でリンク設定処理を行うと（Ｓ１０〜Ｓ１１）、自局がクローズモードで動作していることを示す情報を含む報知情報を送信する（Ｓ１２）。
【０１４６】
その後、ＨｅＮＢ１００は、ＵＥ２００からの無線信号の有無によりモード変更処理を行うことができる。すなわち、ＨｅＮＢ１００は、ＨｅＮＢ１００への接続が許可された加入者情報を記憶したＵＥ２００から、一定期間無線信号を受信しないことを検出すると、当該ＵＥ２２００はＨｅＮＢ１００配下から移動したことを検出することができる。
【０１４７】
例えば、ＵＥ２００は自局の加入者情報を含むメッセージを無線信号として送信することができる（図８のＳ３０など）。従って、ＨｅＮＢ１００は接続許可された加入者情報と一致する加入者情報をＵＥ２００から一定期間受信しないとき、ＨｅＮＢ１００配下から移動したことを検出できる。そして、ＨｅＮＢ１００は接続許可されたすべての加入者情報を一定期間、配下のＵＥ２００から受信しないとき、フェムトサービスエリア１００−１に当該ＵＥ２００が存在しないことを検出できる。このとき、ＨｅＮＢ１００は、接続モードをクローズモードからオープンモードに切替える（Ｓ７０）。第２の実施の形態と同様に、オープンモードのときは、ＨｅＮＢ１００は、不特定ユーザに対しても無線リソースを割当て、サービスを提供することができる。このようなＵＥ２００の不在の検出は、例えば、モード切替変更検出部１２５が無線処理部１１０において受信する無線信号を監視することで行うことができる。
【０１４８】
次いで、ＨｅＮＢ１００は、更新後の設定情報をＭＭＥ４００に通知し（Ｓ１４，Ｓ１５）、自局がオープンモードであることを示す情報を含む報知情報を送信する（Ｓ１６）。
【０１４９】
その後、ＨｅＮＢ１００への接続が許可された加入者情報を記憶したＵＥ２００がフェムトサービスエリア１００−１の範囲内に戻ってくると、当該ＵＥ２００は、例えば、「Ａｔｔａｃｈ  Ｒｅｑｕｅｓｔ」メッセージを送信する（例えば図８のＳ３０）。ＨｅＮＢ１００は、このメッセージを含む無線信号を検出することで、登録加入者がＨｅＮＢ１００配下に戻ってきたことを検出することができる。このとき、ＨｅＮＢ１００は、接続モードをオープンモードからクローズモード（又はハイブリッドモード）に変更することができる（Ｓ７１）。これにより、ＨｅＮＢ１００は当該ＵＥ２００（又は登録加入者）に対して優先してサービスを提供することができる。
【０１５０】
図１３に示すように、本第３の実施の形態では、ＭＭＥ４００において登録加入者の不在が検出されないため、第２の実施の形態のように、接続モードの情報を含む「ｅＮＢ  ｃｏｎｆｉｇｕｒａｔｉｏｎ  ｕｐｄａｔｅ  ｉｎｄｉｃａｔｉｏｎ」メッセージが送信されない。よって、当該メッセージが送信されない分だけ、モードの変更処理にかかる時間を早くすることができる。
【０１５１】
図１４及び図１５は全体処理の動作例をそれぞれ示すシーケンス図である。図１４は、ＵＥ２００がＨｅＮＢ１００と接続後に電源をオフにし、フェムトサービスエリア１００−１の範囲外に移動する例を表わしている。一方、図１５はハンドオーバによりＵＥ２００がフェムトサービスエリア１００−１の範囲外に移動する例を表わしている。図１４及び図１５に示す例では、第２の実施の形態と同一の処理の部分は同一の符号が付されている。いずれの例においても、ＨｅＮＢ１００がＵＥ２００からの無線信号がないことを一定期間検出したときに、接続モードをオープンモードに切替えることができる（Ｓ７０）。
【０１５２】
このように本第３の実施の形態においても、ＨｅＮＢ１００配下にＨｅＮＢ１００への接続が許可された加入者情報を記憶するＵＥ２００が全て存在しなくなると、ＨｅＮＢ１００は、接続モードをクローズモードからオープンモードに切替えることができる。ＨｅＮＢ１００は、オープンモードのときは、ＨｅＮＢ１００への接続が許可されていない加入者情報を記憶したＵＥ２００（又は不特定のユーザ）に対してサービスを提供することができる。
【０１５３】
従って、周辺基地局であるｅＮＢ１５０において輻輳が発生しているような状況のとき、フェムトサービスエリア１００−１の範囲内のＵＥ２００（又はユーザ）は、ＨｅＮＢ１００からサービスの提供を受けることができる。よって、輻輳が発生しているような状況でも、フェムトサービスエリア１００−１の範囲内に位置するＵＥ２００（又はユーザ）はＨｅＮＢ１００から様々なサービスの提供を受けることができる。
【０１５４】
［第４の実施の形態］
次に第４の実施の形態について説明する。第４の実施の形態は、「ハイブリッドモード」を含む例である。「ハイブリッドモード」は、例えば、オープンモードとクローズモードの双方モードを含むモードである。この場合、無線リソースに関しては、接続が許可された利用者情報を記憶するＵＥ２００（又は登録利用者）のために無線リソースの一部が確保され、当該利用者情報を記憶していないＵＥ２００（又は不特定ユーザ）はそれ以外の無線リソースが使用される。従って、「ハイブリッドモード」のとき、接続が許可された利用者情報を記憶するＵＥ２００（又は登録利用者）とこのような利用者情報を記憶していないＵＥ（又は不特定ユーザ）がＨｅＮＢ１００からサービスの提供を受けることができる。
【０１５５】
図１６は、例えばＨｅＮＢ１００におけるハイブリッドモードとクローズモード、及びオープンモードの状態遷移図の例を表わしている。
【０１５６】
第２及び第３の実施の形態では、クローズモードにおいて、ＨｅＮＢ１００への接続が許可された加入者情報を記憶したＵＥ２００（又は登録加入者）がＨｅＮＢ１００のフェムトサービスエリア１００−１から全ていなくなると、オープンモードに遷移する例を説明した（Ｓ８０）。本第４の実施の形態では、このようなＵＥ２００がフェムトサービスエリア１００−１から全ていなくなると、ＨｅＮＢ１００は、一旦、ハイブリッドモードに移行する（Ｓ８１）。そして、ＨｅＮＢ１００は、一定時間経過しても、当該ＵＥ２００がフェムトサービスエリア１００−１の範囲内に戻ってこないとき、オープンモードに移行する（Ｓ８２）。一方、ハイブリッドモードに移行後、当該ＵＥ２００がフェムトサービスエリア１００−１の範囲内に戻ってくると、ＨｅＮＢ１００はクローズモードに移行する（Ｓ８３）。
【０１５７】
なお、ＨｅＮＢ１００は、オープンモードのとき、接続が許可された加入者情報を記憶したＵＥ２００がフェムトサービスエリア１００−１の範囲内に戻ってくると、接続モードをクローズモードに変更する（Ｓ８４）。
【０１５８】
このように、ＨｅＮＢ１００は、クローズモードから直接オープンモードに移行しないで、登録加入者が戻ってくるのを一定時間待って、登録加入者が戻ってきたときはクローズモードに移行し、一定時間待っても登録加入者が戻ってこないとオープンモードに移行する。例えば、登録加入者はフェムトサービスエリア１００−１から移動しても、すぐに戻ってくる場合も多く、このようなことを考慮して、ＨｅＮＢ１００は一度ハイブリッドモードに移行して無線リソースを登録加入者のための確保しておくようにすることができる。
【０１５９】
なお、ＨｅＮＢ１００は、接続が許可された加入者情報を記憶したＵＥ２００がフェムトサービスエリア１００−１に戻ってくると、確保しておいた無線リソースを用いてスケジューリングを行い、データを送受信することができる。
【０１６０】
本第４の実施の形態における登録加入者の不在の検出は、第２及び第３の実施の形態と同様に、ＭＭＥ４００で検出したり、ＨｅＮＢ１００で検出することができる。
【０１６１】
本第４の実施の形態においても、ＨｅＮＢ１００配下にＨｅＮＢ１００への接続が許可された加入者情報を記憶したＵＥ２００（又は登録加入者）が全ていなくなるとき、ＨｅＮＢ１００は、接続モードをクローズモードからオープンモードに切替えることができる。ＨｅＮＢ１００は、オープンモードのときは、不特定のユーザに対してサービスを提供することができる。
【０１６２】
従って、周辺基地局であるｅＮＢ１５０において輻輳が発生しているような状況のとき、フェムトサービスエリア１００−１の範囲内のＵＥ２００（又は不特定ユーザ）は、ＨｅＮＢ１００からサービスの提供を受けることができる。
【０１６３】
［その他の実施の形態］
次にその他の実施の形態について説明する。
【０１６４】
図１５から図１７（Ｂ）は、ＨｅＮＢ１００、ＵＥ２００、ＭＭＥ４００、及びＨＳＳ５００の他の構成例をそれぞれ表わす図である。
【０１６５】
図１５に示すように、ＨｅＮＢ１００は、更に、ＢＢ（Base Band）部１４０、ＣＰＵ（Central Processing Unit）１４１、ＲＯＭ（Read Only Memory）１４２、メモリ１４３、及びＲＡＭ（Random Access Memory）１４４を備える。
【０１６６】
ＢＢ部１４０は、例えば、第２の実施の形態における無線処理部１１０に対応する。
【０１６７】
また、ＣＰＵ１４１は、例えば、第２の実施の形態における機能部１２０に対応する。すなわち、ＣＰＵ１４１は、例えば、メッセージ送受信部１２１、モード切替制御部１２２、リソース割当制御部１２４に対応する。ＣＰＵ１４１は、ＲＯＭ１４２に記憶されたプログラムを読み出し、ＲＡＭ１４４にロードして、当該プログラムを実行することで、メッセージ送受信部１２１やモード切替制御部１２２、リソース割当制御部１２４の各機能を実現することができる。なお、ＣＰＵ１４１は、例えば、第３の実施の形態におけるモード切替変更検出部１２５に対応する。
【０１６８】
さらに、メモリ１４３は、例えば、第２の実施の形態における運用モード格納メモリ１２３に対応する。
【０１６９】
図１６に示すように、ＵＥ２００は、更に、ＢＢ部２５０、ＣＰＵ２５１、ＲＯＭ２５２、メモリ２５３、及びＲＡＭ２５４を備える。
【０１７０】
例えば、ＢＢ部２５０は、第２の実施の形態における無線処理部２１０に対応し、ＣＰＵ２５１は、第２の実施の形態におけるシステム制御部２２０とアプリケーション部２３０の呼処理部２３１に対応する。また、メモリ２５３は、第２の実施の形態における加入者情報ＤＢ２３２に対応する。
【０１７１】
図１７（Ａ）に示すように、ＭＭＥ４００は、更に、ＣＰＵ４４０、ＲＯＭ４４１、メモリ４４２、及びＲＡＭ４４３を備える。
【０１７２】
例えば、ＣＰＵ４４０は第２の実施の形態における機能部４２０、すなわち、モード切替変更検出部４２１、モード切替信号生成部４４２、及びメッセージ送受信部４２３に対応する。ＣＰＵ４４０は、例えば、ＲＯＭ４４１に記憶されたプログラムを読み出して、ＲＡＭ４４３にロードし、当該プログラムを実行することで、モード切替変更検出部４２１、モード切替信号生成部４４２、及びメッセージ送受信部４２３の各機能を実現することができる。
【０１７３】
図１７（Ｂ）に示すように、ＨＳＳ５００は、更に、ＣＰＵ５４０、ＲＯＭ５４１、メモリ５４２、及びＲＡＭ５４３を備える。
【０１７４】
例えば、ＣＰＵ５４０は、第２の実施の形態における機能部５２０、すなわち、メッセージ送受信部５２１に対応し、メモリ５４２は、第２の実施の形態における加入者情報ＤＢ５３０に対応する。この場合も、例えば、ＣＰＵ５４０は、ＲＯＭ５４１に記憶されたプログラムを読み出して、ＲＡＭ５４３にロードし、当該プログラムを実行することで、メッセージ送受信部５２１の機能を実現することができる。
【０１７５】
このように、図１５から図１７（Ｂ）にそれぞれ示された、ＨｅＮＢ１００、ＵＥ２００、ＭＭＥ４００、及びＨＳＳ５００によっても、第２の実施の形態以降で説明した各実施の形態を実施することができ、各実施の形態で説明した効果も奏することができる。
【０１７６】
第２及び第３の実施の形態においては、ＵＥ２００は加入者情報をＨｅＮＢ１００に送信し、この加入者情報に基づいて、ＨｅＮＢ１００に接続が許可されたＵＥ２００又は加入者か否かを判別する例を説明した（例えば図８など）。それ以外にも、例えば、ＵＥ２００は端末識別情報を送信し、端末識別情報に基づいて、ＨｅＮＢ１００に接続が許可されたＵＥ２００か否かを判別することができる。端末識別情報としては、例えば、ＩＭＥＩ（International Mobile Equipment Identity：国際移動体装置識別番号）などの端末識別子とすることができる。
【０１７７】
この場合、ＵＥ２００やＨＳＳ９００では加入者情報ＤＢ２３２，５３０において、加入者情報に代えて（又は加入者情報とともに）、端末識別情報を保持する。ＵＥ２００は、ＨｅＮＢ１００を介してＭＭＥ４００に端末識別情報を送信し（例えば図８のＳ３０〜Ｓ３１）、ＭＭＥ４００はＨＳＳ５００に端末識別情報を送信して、ＨＳＳ５００は端末識別情報に対応するＣＳＧ  ＩＤをＭＭＥ４００に送信する（例えばＳ３８〜Ｓ３９）。
【０１７８】
これにより、ＭＭＥ４００は第２の実施の形態と同様に、端末識別情報がＨｅＮＢ１００において接続が許可されたＵＥ２００であるか否かを判別できる。
【０１７９】
また、ＵＥ２００は、ＨｅＮＢ１００配下から移動したとき、ｅＮＢ１５０を介してＭＭＥ４００に端末識別情報を送信し（例えばＳ５４からＳ５５）、これによりＭＭＥ４００は第２の実施の形態などと同様にＵＥ２００がＨｅＮＢ１００配下から移動したことを検出し、オープンモードへの切替えを行うことができる。
【０１８０】
さらに、当該ＵＥ２００が再びＨｅＮＢ１００配下に戻ってくると、端末識別情報を送信するため（例えばＳ３０）、ＨｅＮＢ１００はこれを検出することで、第２の実施の形態などと同様にクローズモードへの切替えを行うことができる。
【０１８１】
また、第２及び第３の実施の形態では、ＨｅＮＢ１００とｅＮＢ１５０はともに同じＭＭＥ４００配下に属するものとして説明した。例えば、ＨｅＮＢ１００を収容するＭＭＥ４００と、ｅＮＢ１５０を収容するＭＭＥとが異なるＭＭＥでもよい。この場合でも、２つのＭＭＥ間で加入者識別情報や端末識別情報を含むメッセージを交換することで、ＨｅＮＢ１００を収容するＭＭＥ４００は移動先のｅＮＢ１５０から加入者情報や端末識別情報を受けることができる。ＭＭＥ４００は、ＨｅＮＢ１００からではなく、ｅＮＢ１５０から、ＨｅＮＢ１００への接続が許可された加入者情報を受け取ることで第２の実施の形態と同様に、ＨｅＮＢ１００配下におけるＵＥ２００の不在を検出できる。
【０１８２】
以上まとめると付記のようになる。
【０１８３】
（付記１）
特定の加入者識別情報又は端末識別情報を記憶した第１の端末装置との間で無線通信によりデータを送受信し、前記特定の加入者識別情報又は端末識別情報を記憶していない第２の端末装置との間で無線通信によりデータを送受信しないように制御可能な無線基地局装置において、
前記無線基地局装置配下に前記第１の端末装置が存在しないとき、前記第２の端末装置に対してデータを送受信しない第１の接続モードから、前記第２の端末装置との間で無線通信によりデータを送受信する第２の接続モードに接続モードを切替えるモード切替制御部と
を備えることを特徴とする無線基地局装置。
【０１８４】
（付記２）
前記第１の端末装置から送信された前記特定の加入者識別情報又は端末識別情報が他の無線基地局装置を介して無線基地局制御装置に送信され、前記無線基地局制御装置において全ての前記特定の加入者識別情報又は端末識別情報を前記他の無線基地局装置から受信したとき、前記無線基地局制御装置において前記接続モードを前記第１の接続モードから前記第２の接続モードに切替えるよう指示する切替指示が送信され、
前記モード切替制御部は、前記切替指示を受信したとき、前記接続モードを前記第１の接続モードから前記第２の接続モードに切替えることを特徴とする付記１記載の無線基地局装置。
【０１８５】
（付記３）
更に、全ての前記特定の加入者識別情報又は端末識別情報を前記第１の端末装置から一定期間受信しないとき、前記接続モードを前記第１の接続モードから前記第２の接続モードに切替えるよう指示する切替指示を出力するモード切替変更検出部を備え、
前記モード切替制御部は、前記切替指示を入力したとき、前記接続モードを前記１の接続モードから前記第２の接続モードに切替えることを特徴とする付記１記載の無線基地局装置。
【０１８６】
（付記４）
前記モード切替制御部は、前記接続モードが前記第２の接続モードである場合に、前記無線基地局配下に前記第１の端末装置が存在することを検知したとき、前記接続モードを前記第２の接続モードから前記第１の接続モードに切替えることを特徴とする付記１記載の無線基地局装置。
【０１８７】
（付記５）
前記無線基地局装置において前記接続モードが前記第２の接続モードである場合に、前記無線基地局装置に接続された無線基地局制御装置において、前記無線基地局装置を介して前記第１の端末装置から送信された前記特定の加入者識別情報又は端末識別情報を受信したとき、前記接続モードを前記第２の接続モードから前記第１の接続モードに切替えるよう指示する切替指示が送信され、
前記モード切替制御部は、前記切替指示を受信したとき、前記接続モードを前記第２の接続モードから前記第１の接続モードに切替えることを特徴とする付記４記載の無線基地局装置。
【０１８８】
（付記６）
更に、前記無線基地局装置において前記接続モードが前記第２の接続モードである場合に、前記特定の加入者識別情報又は端末識別情報を前記第１の端末装置から受信したとき、前記接続モードを前記第２の接続モードから前記第１の接続モードに切替えるよう指示する切替指示を出力するモード切替変更検出部を備え、
前記モード切替制御部は、前記切替指示を入力したとき、前記接続モードを前記第２の接続モードから前記第１の接続モードに切替えることを特徴とする付記４記載の無線基地局装置。
【０１８９】
（付記７）
前記モード切替制御部は、前記無線基地局装置配下に前記第１の端末装置が存在しないとき、前記接続モードを前記第２の接続モードから、前記第１の端末装置及び前記第２の端末装置との間で無線通信により前記データを送受信する第３の接続モードに切替えて、前記第３の接続モードに切替えた後、一定期間経過後、前記無線基地局装置配下に前記第１の端末装置が存在しないとき、前記接続モードを前記第３の接続モードから前記第２の接続モードに切替え、一定期間経過前に前記無線基地局装置配下に前記第１の端末装置が存在するとき、前記接続モードを前記第３の接続モードから前記第１の接続モードに切替えることを特徴とする付記１記載の無線基地局装置。
【０１９０】
（付記８）
前記加入者識別情報はＩＭＳＩ（International Mobile Subscriber Identity）であり、前記端末識別情報はＩＭＥＩ（International Mobile Equipment Identity）であることを特徴とする付記１記載の無線基地局装置。
【０１９１】
（付記９）
特定の加入者識別情報又は端末識別情報を記憶した第１の端末装置との間で無線通信によりデータを送受信し、前記特定の加入者識別情報又は端末識別情報を記憶していない第２の端末装置との間で無線通信によりデータを送受信しないように制御可能な無線基地局装置における接続モード切替方法であって、
前記無線基地局装置配下に前記第１の端末装置が存在しないとき、前記第２の端末装置に対してデータを送受信しない第１の接続モードから、前記第２の端末装置との間で無線通信によりデータを送受信する第２の接続モードに接続モードを切替える
ことを特徴とする接続モード切替方法。
【０１９２】
（付記１０）
無線基地局装置と、
第１及び第２の端末装置とを備え、特定の加入者識別情報又は端末識別情報を記憶した前記第１の端末装置と前記無線基地局装置との間で無線通信によりデータが送受信され、前記特定の加入者識別情報又は端末識別情報を記憶していない前記第２の端末装置と前記無線基地局装置との間で無線通信によりデータが送受信されないように制御可能な無線通信システムにおいて、
前記無線基地局装置は、
前記無線基地局装置配下に前記第１の端末装置が存在しないとき、前記第２の端末装置に対してデータを送受信しない第１の接続モードから、前記第２の端末装置との間で無線通信によりデータを送受信する第２の接続モードに接続モードを切替えるモード切替制御部と、
前記第２の接続モードのとき、前記第２の端末装置との間で無線通信によりデータを送受信する第１の無線処理部とを備え、
前記第２の端末装置は、
前記第２の接続モードのとき、前記無線基地局装置との間で無線通信によりデータを送受信する第２の無線処理部を備えることを特徴とする無線通信システム。
【符号の説明】
【０１９３】
１０：無線通信システム                １００：ＨｅＮＢ（ユーザ専用無線基地局装置）
１００−１：フェムトサービスエリア    １１０：無線処理部
１２０：機能部                        １２１：メッセージ送受信部
１２２：モード切替制御部              １２３：運用モード格納メモリ
１２４：リソース割当制御部            １２５：モード切替変更検出部
１３０：Ｉ／Ｆ部                      １５０：ｅＮＢ（無線基地局装置）
１５０−１：マクロサービスエリア      ２００：ＵＥ（端末装置）
２１０：無線処理部                    ２２０：システム制御部
２３０：アプリケーション部            ２３１：呼処理部
２３２：加入者情報ＤＢ                ３００，３５０：ルータ
４００：ＭＭＥ                        ４１０，４３０：Ｉ／Ｆ部
４２０：機能部                        ４２１：モード切替変更検出部
４２２：モード切替信号生成部          ４２３：メッセージ送受信部
５００：ＨＳＳ                        ５１０：Ｉ／Ｆ部
５２０：機能部                        ５２１：メッセージ送受信部
５３０：加入者情報ＤＢ                ６００：Ｓ−ＧＷ
７００：Ｐ−ＧＷ                      ８００：ＰＤＮ
【図１】
0005938966.tif 000002
【図２】
0005938966.tif 000003
【図３】
0005938966.tif 000004
【図４】
0005938966.tif 000005
【図５】
0005938966.tif 000006
【図６】
0005938966.tif 000007
【図７】
0005938966.tif 000008
【図８】
0005938966.tif 000009
【図９】
0005938966.tif 000010
【図１０】
0005938966.tif 000011
【図１１】
0005938966.tif 000012
【図１２】
0005938966.tif 000013
【図１３】
0005938966.tif 000014
【図１４】
0005938966.tif 000015
【図１５】
0005938966.tif 000016
【図１６】
0005938966.tif 000017
【図１７】
0005938966.tif 000018
【図１８】
0005938966.tif 000019
【図１９】
0005938966.tif 000020